(57)【要約】【課題】台秤の下側の床面の掃除を行なう場合などにおいて、移動を簡単に行なえるようにした台秤を提供する。【解決手段】プレート状の本体部１と、この本体部１の両側に位置しロードセルなどの主要機能部を内蔵するボックス部２と、ボックス部２の位置で前後両端部の下側から僅かに下側に突出して床面に当接する脚部と、前記ボックス部２内に設けられ前後両端部より僅かに中心寄りの位置で昇降用ハンドル９の操作により脚部よりも下方に突出可能なキャスターとからなる。【選択図】図５
2009025256.tif 000002
【特許請求の範囲】
【請求項１】
プレート状の本体部と、この本体部の両側に位置しロードセルなどの主要機能部を内蔵するボックス部と、ボックス部の位置で前後両端部の下側から僅かに下側に突出して床面に当接する脚部と、前記ボックス部内に設けられ前後両端部より僅かに中心寄りの位置でハンドル操作により脚部よりも下方に突出可能なキャスターとからなることを特徴とする台秤。
【発明の詳細な説明】
【技術分野】
【０００１】
本発明は、ロードセルを使った台秤に関するものである。
【背景技術】
【０００２】
従来のこの種、台秤としては、例えば特許文献１に開示されているような、平面形状が矩形のフレーム状本体のコーナー部においてロードセルが設けられているとともに各ロードセルの下側にフレーム状本体の裏面から下方に僅かに突出するように脚部が設けられ、フレーム状本体内に和算箱が設けられ、前記フレーム状本体の上面を覆うようにフレーム状本体上に載る天板が設けられ、この天板の後端部はフレーム状本体の後端部にヒンジにより開閉自在に支持され、またこの天板とフレーム状本体の後端部との間は空気圧シリンダーで結合されて、天板はフレーム状本体上に載った状態とフレーム状本体の上面を開いた状態との間で自在に開閉できるように構成されてなるものが知られている。
【特許文献１】特開２００６−１７５９７号公報
【発明の開示】
【発明が解決しようとする課題】
【０００３】
上記特許文献１に開示されている台秤にあっては、天板が開閉式になっており、台秤の下の掃除を行なう場合、天板を上に開いて床面に溜まっているほこりやごみを取り除くという作業を行なうものであるが、台秤と言えども重量が非常に重く、手では動かすことが困難であり、天板を開いた状態で目で見えるほこりやごみは取り除くことができるが、台秤の下側に隠れているほこりやごみを取り除くことはできないという問題があった。
【０００４】
本発明の目的は、このような課題を解決するものであり、台秤の下側の床面の掃除を行なう場合などにおいて、移動を簡単に行なえるようにした台秤を提供することにある。
【課題を解決するための手段】
【０００５】
本発明の請求項１に記載の台秤は、プレート状の本体部と、この本体部の両側に位置しロードセルなどの主要機能部を内蔵するボックス部と、ボックス部の位置で前後両端部の下側から僅かに下側に突出して床面に当接する脚部と、前記ボックス部内に設けられ前後両端部より僅かに中心寄りの位置でハンドル操作により脚部よりも下方に突出可能なキャスターとからなることを特徴とする。
【発明の効果】
【０００６】
以上のように、本発明の台秤は、ハンドル操作により脚部よりも下方に突出可能なキャスターを備えているので、台秤の下側の掃除を行なう場合などにおいて、ハンドル操作によりキャスターを脚部よりも下方に突出させることにより台秤の移動が簡単に行なえるようになる。
【発明を実施するための最良の形態】
【０００７】
以下、本発明の一実施の形態を、図１〜図７を用いて具体的に説明する。
図において、１はプレート状の本体部で、この本体部１の両側にはロードセル（図示せず）などの主要機能部を内蔵するボックス部２が本体部１の前後方向全長に亘って設けられている。なお、前記ボックス部２の下面は一部を除いて開口している。３は前記ボックス部２の位置で前後両端部の下側の開口部から僅かに下側に突出して床面４に当接するゴム製の脚部で、この脚部３の上にロードセルが設けられ、本体部１上に載せられた被計量物の荷重（重量）をロードセルに伝えるようになる。また、前記ボックス部２内には前後両端部より僅かに中心寄りの位置でハンドル操作によりボックス部２よりも下方、具体的には前記脚部３よりも下方に突出可能なキャスター５が設けられている。このキャスター５の取り付け部について具体的に説明すると、キャスター５の取り付け部においてボックス部２の上面には上下方向に雌ねじ孔６が形成されている筒状部材７が取り付けられている。前記雌ねじ孔６は筒状部材７の上下方向全長に亘って形成され、上下方向に貫通して下端はボックス部２の下方に露出している。一方、前記キャスター５には上方に突出する軸体８が設けられている。この軸体８は上端に昇降用ハンドル９の先端の係合孔部１０に嵌入して係合する係合部１１を備え、この係合部１１の下側に前記雌ねじ孔６に螺入する雄ねじ部１２が形成されている。そして、この軸体８を雌ねじ孔６の下端より差し込んで、雄ねじ部１２を雌ねじ孔６に螺入させ、係合部１１を筒状部材７から上方に突出させるようになっている。１３は軸体８を雌ねじ孔６の下端より差し込んで、雄ねじ部１２を雌ねじ孔６に螺入させ、係合部１１を筒状部材７から上方に突出させた状態で係合部１１および筒状部材７に上から外嵌する化粧用のキャップである。
【０００８】
上記構成において、台秤を床面において使用する場合はキャスター５はボックス部２内に収まってキャスター５の下端が脚部３より上方に位置するように設定され、台秤の下側の床面を掃除するような場合などにおいては、台秤の両側において２箇所づつに存在する前記キャップ１３を全て取り外し、前記筒状部材７から上方に突出する係合部１１に昇降用ハンドル９の先端の係合孔部１０を係合させ、かかる状態でボックス部２の上側で昇降用ハンドル９を回転させることにより雌ねじ孔６に螺合する軸体８が下動し、キャスター５を下降させ、前記脚部３よりも下方に突出させることができる。この作業を台秤の両側に位置する４箇所のキャスター５取り付け部で順番にキャスター５の突出量を揃えるように行なうのである。このように全てのキャスター５を前記脚部３よりも下方に突出させた状態で台秤を押して台秤を移動させれば良いが、台秤が非常に重い場合は前記本体部１の前端部にロープを繋ぎ、ロープを持って台秤を引っ張るようにしても良く、あるいは前記軸体８の上端の係合部１１から昇降用ハンドル９を取り外し、代わりに係合部１１に移動用ハンドル１４の先端の係合孔部１５を係合させて、移動用ハンドル１４を手で握って台秤を移動させれば良い。
【０００９】
床面を掃除が終わった後は台秤を移動させて元の位置に戻し、その後軸体８の上端の係合部１１に昇降用ハンドル９を取り付け、この昇降用ハンドル９の操作によりキャスター５を前記脚部３よりも上方に位置するように上昇させるのである。
【図面の簡単な説明】
【００１０】
【図１】本発明の一実施の形態における台秤の斜視図である。
【図２】同台秤を下方から見た要部拡大斜視図である。
【図３】同キャスター取り付け部の分解斜視図である。
【図４】同キャスター取り付け部の断面図である。
【図５】同キャスターの軸体の係合部に昇降用ハンドルを取り付けた台秤の斜視図である。
【図６】同キャスターの軸体の係合部に取り付けた昇降用ハンドルを操作した状態を示すキャスター取り付け部の断面図である。
【図７】同キャスターの軸体の係合部に移動用ハンドルを取り付けた台秤の斜視図である。
【符号の説明】
【００１１】
１    本体部
２    ボックス部
３    脚部
４    床面
５    キャスター
６    雌ねじ孔
７    筒状部材
８    軸体
９    昇降用ハンドル
１０    係合孔部
１１    係合部
１２    雄ねじ部
１３    キャップ
１４    移動用ハンドル
１５    係合孔部
【図１】
2009025256.tif 000003
【図２】
2009025256.tif 000004
【図３】
2009025256.tif 000005
【図４】
2009025256.tif 000006
【図５】
2009025256.tif 000007
【図６】
2009025256.tif 000008
【図７】
2009025256.tif 000009